(57)【特許請求の範囲】
【請求項１】
下面側が接地電位とされ上面側にトランジスタ又はダイオードが搭載されることのない半絶縁性の化合物半導体基板上に受動素子を回路素子とする受動素子回路を搭載した受動素子チップと、
表面にＳＡＷデバイスが形成されたＳＡＷデバイスチップとを有し、
前記ＳＡＷデバイスチップは、前記ＳＡＷデバイスが前記受動素子回路へ電気的に接続されるように前記受動素子チップ上に搭載され、
前記受動素子回路は、前記接地電位との間で構成される前記化合物半導体基板上に形成された伝送線路を備え、
前記ＳＡＷデバイスチップに面する前記伝送線路は、前記ＳＡＷデバイスの出力インピーダンスが、前記ＳＡＷデバイスに接続されるとともに前記化合物半導体基板とは別の半導体基板上に形成された増幅回路の入力インピーダンスに整合するようにパターニングされ、
前記化合物半導体基板の厚さは前記伝送線路の特性インピーダンスが前記ＳＡＷデバイスの出力インピーダンスに整合するように調整されており、
前記受動素子回路は、前記接地電位との間で構成される前記化合物半導体基板上に形成された別の伝送線路を備え、
該別の伝送線路は、前記ＳＡＷデバイスチップが搭載されている領域以外の前記化合物半導体基板上に形成され、前記増幅回路の出力と外部の負荷との間の整合回路を構成することを特徴とする半導体装置。
【請求項２】
前記基板は、ＧａＡｓ基板又はＩｎＰ基板であることを特徴とする請求項１記載の半導体装置。
【請求項３】
前記受動素子は、抵抗素子、容量素子及びインダクタンス素子のうちのいずれか１つを含むことを特徴とする請求項１記載の半導体装置。
【請求項４】
前記ＳＡＷデバイスは、フィルタ又はデュプレクサであることを特徴とする請求項１記載の半導体装置。
【請求項５】
前記受動素子チップは、能動素子を搭載した前記別の半導体基板を含む能動素子チップと電気的に接続されていることを特徴とする請求項１記載の半導体装置。
【請求項６】
前記受動素子チップ及び前記能動素子チップは、同一パッケージ内に収容されることを特徴とする請求項５記載の半導体装置。
【請求項７】
前記能動素子チップの基板は、ＧａＡｓ基板、ＩｎＰ基板又はＳｉ基板であることを特徴とする請求項５記載の半導体装置。
【請求項８】
前記能動素子は、ＦＥＴ（電界効果トランジスタ）、ＨＥＭＴ（高電子移動度トランジスタ）、Ｓｉバイポーラトランジスタ及びＨＢＴ（ヘテロ接合バイポーラトランジスタ）のうちのいずれか１つを含むことを特徴とする請求項５記載の半導体装置。
【発明の詳細な説明】
【０００１】
【発明の属する技術分野】
本発明は、ＳＡＷデバイスを搭載した高出力高周波回路用の半導体装置、とくに携帯無線通信用の送受信回路に用いられる半導体装置に関する。
【０００２】
【従来の技術】
携帯無線通信端末では、受信信号の分離あるいは送信時の不要信号抑制等のためにＳＡＷフィルタ及びＳＡＷデュプレクサ等のＳＡＷデバイス（弾性表面波素子）が用いられる。このＳＡＷデバイスが形成されたチップを高周波回路が形成された回路基板上に搭載することで、送受信用半導体装置の小型化を図る試みが特開平８−２７４５７５号公報に開示されている。以下、この公報に開示された半導体装置に用いられている回路基板について説明する。
【０００３】
図４は従来例断面図であり、高周波回路が形成されたＳｉ基板上にＳＡＷデバイスチップを搭載した回路基板を表している。この回路基板は、図４を参照して、Ｓｉ基板３０表面に絶縁膜３１を形成し、その絶縁膜３１上に受動素子パターン３３及びコンデンサ３５が設けられる。この受動素子パターン３３は、薄膜抵抗、薄膜コンデンサ又は薄膜インダクタンス等の受動素子からなり、絶縁膜３１上に形成されたパッド３２に電気的に接続されている。
【０００４】
ＳＡＷデバイスチップ３は、表面弾性波素子パターンを構成する櫛形電極を下向きにして、バンプ３４によりパッド３２上に接合されて、受動素子パターン３３上方に搭載される。
この回路基板は、ＳＡＷデバイスが形成されたＳＡＷデバイスチップ３をＳｉ基板３０上に直接搭載するから、ＳＡＷデバイスチップ３を専用ケースに収容する必要がなく、送受信用半導体装置を小型にすることができる。また、ＳＡＷデバイスチップ３を発熱の少ない受動素子パターン３３上に形成するため、温度依存性が大きなＳＡＷデバイスチップ３の特性変動を抑制することができる。
【０００５】
上述した回路基板は、Ｓｉに代えてセラミック、ガラス又はサファイヤ等とすることができる。しかし、これらの絶縁性基板は、物理的及び化学的性質、例えば比熱及び表面荒さ等が半導体とは大差があるため、受動素子を形成するためのＣＶＤ（化学的気相堆積）条件が半導体上へのＣＶＤ条件とは大きく異なる。また、基板のエッチング等の加工条件も半導体とは異なる。このため、これらの基板を用いては、半導体プロセスにより受動素子を形成することが難しい。
【０００６】
【発明が解決しようとする課題】
携帯無線装置、例えば携帯電話の如き移動体通信端末として用いられる装置では、８００ＭＨｚ〜１．９ＧＨｚ程度の高周波を大電力で取り扱う必要があり、かかる大出力高周波回路を電力効率を損なうことなく高密度に集積することが要求されている。
【０００７】
本発明は、ＳＡＷデバイスが形成されたチップを直接回路基板上に搭載して小型化を図ると同時に、優れたインピーダンス整合特性と低い抵抗損失とを有する高周波回路を実現することで、小型でかつ高出力の高周波信号を効率よく取り扱うことができる半導体装置を提供することを目的とする。
【０００８】
【課題を解決するための手段】
図１は本発明の実施形態例平面図であり、受動素子チップ上にＳＡＷデバイスが搭載された半導体装置を表している。図２は図１のＡＢ断面図である。
本発明では、図１及び図２を参照して、受動素子チップ２上面側にＳＡＷデバイスチップ３が搭載される。この受動素子チップ２は、半絶縁性の化合物半導体を基板２ａとし、その基板２ａ上面側に設けられた伝送線路４ｃを少なくとも含む受動素子回路４を有する。この基板２ａの下面（裏面）側は、例えば接地電極が設けられて導電性にされ接地電位２ｂに保持される。伝送線路４ｃは、基板２ａ下面側の接地電位２ｂを一方の電極とする分布定数回路からなる線路、例えばマイクロストリップラインを構成する。このように、伝送線路４ｃを用いることにより、８００ＭＨｚ〜１．９ＧＨｚでの高周波帯域において優れたインピーダンス整合特性を実現することができる。
【０００９】
本発明の構成では、受動素子回路４を搭載する基板２ａが半絶縁性の化合物半導体、例えば半絶縁性のＩｎＰ又はＧａＡｓからなる。このため、基板２ａを挟んで基板２ａの上下面側にそれぞれ設けられた伝送線路４ｃ及び接地電位２ｂを用いて分布定数回路が構成される。かかる伝送線路４ｃの特性インピーダンスは、伝送線路４ｃと接地電位２ｂ間の距離に比例し、伝送線路４ｃの幅に反比例する。化合物半導体基板２ａは必要に応じて容易に厚く加工することができる。このため、伝送線路４ｃ幅を広く設計しても基板２ａを厚くすることで、伝送線路４ｃの特性インピーダンスを上昇させ容易に所望の値に調整することができる。即ち、特性インピーダンスの低下を回避しつつ、伝送線路４ｃの幅を広くすることができる。このように、幅広の伝送線路４ｃであってもその特性インピーダンスを所望の値に精密に調整することができるので、大電力を扱える広い線幅を有しかつインピーダンス整合特性に優れた高周波回路を実現することができる。
【００１０】
また、受動素子回路４を搭載する基板２ａを化合物半導体基板としたので、受動素子回路４を通常の半導体装置の製造工程（半導体プロセス）と同様の条件で形成することができる。例えば、受動素子回路４の薄膜を、ＧａＡｓ基板上にトランジスタ回路を形成すると同一条件のＣＶＤ又はエッチング工程により形成することができる。さらに、セラミック等の絶縁性基板とは異なり、半導体基板はエッチング等の加工が容易であるから、基板２ａを貫通するビアを形成しやすい。このため、ビアの配置が容易になり回路設計の自由度が増加する。加えて、化合物半導体は誘電率が高いので、その上に形成された伝送線路の単位長当たりのインダクタンスが大きい。従って、伝送線路を短くすることができる。
【００１１】
なお、Ｓｉ基板は半導体プロセスを利用できるが、本発明の受動素子回路４の基板２ａとして用いることはできない。これは、Ｓｉ基板の絶縁性が低く、基板の上下面間で分布定数回路を有する伝送線路を構成することができないからである。従って、上述した従来例のようにＳｉ基板上に絶縁膜を介して受動素子を設ける必要がある。これでは、受動素子として伝送線路を適用しようとすると、接地電位にあるＳｉ基板と伝送線路との間隔は極めて薄い絶縁膜の厚さに限定される結果、伝送線路の特性インピーダンスが小さくなり、十分なインピーダンス整合をとることが困難になる。この問題を回避するため、伝送線路を細くして特性インピーダンスを大きくすると抵抗損失が増大し、大電力の信号を取り扱うことができない。本発明によれば、上述したようにインピーダンス不整合による損失および伝送線路の抵抗損失が少ないので、高効率で大出力高周波信号を扱える受動素子回路が実現される。
【００１２】
本発明の受動素子回路４は、抵抗素子、容量素子及びインダクタ素子等の受動素子を含む回路であり、トランジスタ及びダイオード等の能動素子を含まない。抵抗素子として薄膜抵抗、容量素子としてＭＩＭキャパシタ、あるいはインダクタ素子としてスパイラル若しくはメアンダインダクタを用いることができる。なお、受動素子回路４は、伝送線路４ｃのみから構成されてもよい。さらに、基板２ａを貫通して基板２ａ上下面に形成されたパターンを接続するビアを含むことができる。例えば、接地電位に接続される基板２ａ上面の配線又は伝送線路と基板２ａ下面の接地電位とを接続するビアである。ＳＡＷデバイスには、例えばフィルタ又はデュプレクサが用いられる。
【００１３】
本発明の上述した構成に加えて、図１及び図２を参照して、さらに能動素子チップ１０を受動素子チップ２へ接続することができる。この接続は、両チップ１０、２間を断熱するために、例えばワイヤボンデングによりなされる。能動素子チップ１０は、半導体基板１２ａ、例えばＧａＡｓ基板、ＩｎＰ基板、ＧａＮ基板又はＳｉ基板、上に発熱の大きな能動素子、例えばＦＥＴ、ＨＥＭＴ、Ｓｉバイポーラトランジスタ及びＨＢＴ（ヘテロ接合バイポーラトランジスタ）等が形成されたチップであり、整合回路１１ｂ等の受動素子からなる回路が含まれても差し支えない。このように、発熱の大きな能動素子を搭載する能動素子チップ１０を、ＳＡＷデバイスチップ３を搭載する受動素子チップから分離することで、温度変動に鋭敏なＳＡＷデバイスへの熱的影響を少なくすることができる。なお、この能動素子チップ１０を受動素子チップ２とともに同一パッケージ内に収容することもできる。
【００１４】
【発明の実施の形態】
本発明を、８００ＭＨｚ〜１．９ＧＨｚ帯の携帯無線端末の高周波電力増幅用半導体装置に適用した実施形態例を用いて説明する。図３は、本発明の実施形態例回路図であり、電力増幅回路を表している。本実施形態例の電力増幅回路は、図３を参照して、入力端子５ａに入力された高周波入力信号を、ＳＡＷフィルタ３ａ及び整合回路４ａを通して半導体増幅回路１１に出力する。増幅回路１１の出力は、負荷とのインピーダンス整合回路４ｂを通して出力端子５ｄに出力される。ここで整合回路４ａ、４ｂは、ともに伝送線路を回路素子として含む受動素子回路４である。
【００１５】
本実施形態例の半導体装置は、図１及び図２を参照して、一つのモジュールパッケージ内に受動素子チップ２と能動素子チップ１０とをモジュール基体２０上に搭載して収容する。
受動素子チップ２は、半絶縁性のＧａＡｓを基板２ａとする。その基板２ａ下面には接地電極が形成され接地電位２ｂに保持される。また基板２ａ上面には、インピーダンス整合回路４ａ、４ｂと、端子５ａ〜５ｄパターンが設けられる。端子５ａは半導体装置の外部からの入力信号端子であり、整合回路４ａ内に設けられたパッド４ｄに接続されている。整合回路４ａ内には他のパッド４ｄが設けられ、ＳＡＷデバイスチップ３上に形成されたＳＡＷデバイスは、これらのパッド４ｄ上に接合されたバンプ７を介して整合回路４ａと接続される。端子５ｂ、５ｃは能動素子チップ１０との接続用端子であり、能動素子チップ１０上に設けられた端子１５ａ、１５ｂとワイヤ６により接続される。端子５ｄは負荷への接続用端子である。
【００１６】
整合回路４ａ、４ｂは、いずれも接地電位２ｂとの間で構成される伝送線路４ｃを用いた分布定数回路を有する。整合回路４ａは、ＳＡＷデバイスチップ３の出力インピーダンスを増幅回路１１のより低い入力インピーダンスに変換するために設けられる。この整合回路４ａ中に含まれる伝送線路４ｃは、伝送線路４ｃの抵抗損失が十分小さくなるように、例えば１００μｍ幅のパターンで設計される。同時に、特性インピーダンスがＳＡＷデバイスの出力インピーダンスに整合するように、ＧａＡｓ基板２ａの厚さを１００μｍとする。他方、整合回路４ｂは、増幅回路１１の出力インピーダンスをこれより高い、例えば５０Ω程度の負荷インピーダンスに整合する。このため、伝送線路４ｃを例えば１００μｍ程度の広い幅のパターンで形成し、特性インピーダンスを低くするとともに伝送線路４ｃの抵抗を小さくして大電力信号取り扱い時の損失を少なくする。
【００１７】
このように、伝送線路４ｃの幅を広くしても特性インピーダンスを高くすることができるので、整合特性を損なうことなく抵抗損失の少ない整合回路を実現することができる。
能動素子チップ１０は、各種トランジスタが形成される半導体、例えばＳｉ、ＧａＡｓ、ＩｎＰ、ＧａＮ等を基板１２ａとし、基板１２ａ上に形成された増幅回路１１を有する。この増幅回路１１は、２つのトランジスタ増幅段１１ａ、１１ｃと１つの整合回路１１ｂからなる。トランジスタ増幅段１１ａは、前置増幅回路であり、端子１５ａに入力された受動素子チップ２上の整合回路４ａの出力を増幅し、整合回路１１ｂを通してトランジスタ増幅段１１ｃへ出力する。
【００１８】
トランジスタ増幅段１１ｃは、電力増幅回路であり、端子１５ｂから受動素子チップ２上の整合回路４ｂに出力される。さらに、上述したように整合回路４ｂから端子５ｄを通してアンテナ等の負荷に出力される。このように、整合回路４ｂを受動素子チップ４上に設けることにより、伝送線路４ｃの特性インピーダンスを低下することなく幅広の伝送線路４ｃを使用することができるので、比較的インピーダンスの高い負荷に対しても高出力の高周波信号を高効率で出力することができる。
【００１９】
【発明の効果】
本発明によれば、高い特性インピーダンスを有する幅広の伝送線路を形成し、この伝送線路を用いてＳＡＷデバイスと良好にインピーダンス整合する受動素子回路を半導体プロセスを用いて製造することができる。このため、高出力高周波信号を高効率で送信又は受信する半導体装置が実現でき、無線通信装置の性能向上に寄与するところが大きい。
【図面の簡単な説明】
【図１】  本発明の実施形態例平面図
【図２】  本発明の実施形態例断面図
【図３】  本発明の実施形態例回路図
【図４】  従来例断面図
【符号の説明】
２  受動素子チップ
２ａ，１２ａ  基板
２ｂ，１２ｂ  接地電位
３  ＳＡＷデバイスチップ
４  受動素子回路
４ａ，４ｂ，１１ｂ  整合回路
４ｃ  電送線路
４ｄ  パッド
５ａ〜５ｄ、１５ａ、１５ｂ  入出力端子
６  ワイヤ
７  バンプ
１０  能動素子チップ
１１  増幅回路
１１ａ，１１ｃ  トランジスタ増幅段
２０  モジュール基体
【図１】
0003744828.tif 000002
【図２】
0003744828.tif 000003
【図３】
0003744828.tif 000004
【図４】
0003744828.tif 000005